(57)【要約】【課題】破損した場合は破損した部材だけを取り替えれば済むようにした清掃材ホールダーを提供する。【解決手段】基板１の下に底板８をねじ等で着脱自在に取り付けている。垂直から水平に寝るところまで曲げることができるようにして基板１の中央に柄取付片４を取り付けている。ナイロン製たわし等の清掃材を底板８の下面に取り付け、棒状の柄を柄取付片４に差し込んで使用する。基板１・底板８・柄取付片４からなっているので、どの部材かが破損したら破損部材だけを取り替えれば済む。【選択図】図１
2005270611.tif 000002
【特許請求の範囲】
【請求項１】
基板（１）と底板（８）とからなる長方形状又は楕円形状とした本体と柄取付片（４）とからなるものとして、柄取付片（４）は円柱状のものを寝せて配置した回転部（５）と回転部（５）の中央から上方へ設けた柄取付部（６）とからなるものとし、そして本体の長手方向に向けた回転部（５）がちょうどはまる空室を基板（１）と底板（８）との間の中央に設けてその空室に回転部（５）をはめた状態にし、また柄取付部（６）がちょうどはまる大きさの切欠き（３）をその空室の垂直上方から本体の幅方向の一方側下方のみへと設けて柄取付部（６）を切欠き（３）に通した状態にし、基板（１）の下面に底板（８）を着脱自在に取り付けた清掃材ホールダー。
【請求項２】
回転部（５）を球状のものとしたことを特徴とする、請求項１記載の清掃材ホールダー。
【請求項３】
回転部（５）を多角柱状のものとしたことを特徴とする、請求項１記載の清掃材ホールダー。
【請求項４】
本体に設けた切欠き（３）を、柄取付片（４）の柄取付部（６）が垂直上方から水平にまで曲げることのできるものとし、かつ柄取付部（６）の高さを、柄取付部（６）を水平に曲げたときに柄取付部（６）の先端が本体から突出しない程度のものとしたことを特徴とする、請求項１又は２又は３記載の清掃材ホールダー。
【発明の詳細な説明】
【技術分野】
【０００１】  本発明は、パッド状ナイロン製たわし等の清掃材を下面に取り付けるようにした清掃材ホールダーに関するものである。
【背景技術】
【０００２】  パッド状ナイロン製たわし等の清掃材を下面に取り付けるようにした清掃材ホールダーとしては、例えば次のようなものが市販され、広く普及している。すなわち、プラスチック製であって、下端に引っ掛りのある小突起の多数を下面に設けた長方形の台板の中央上方に、十字型に配置した二つの軸を介して前後左右に曲げることができるようにして柄取付片を取り付けたものである。【０００３】  この従来の清掃材ホールダーは、次のようにして使用する。棒状の柄の先端を柄取付片に取り付け、ナイロン製たわし等の清掃材を床面等に置いて台板下面の小突起群を押し付ける。それから柄を持って清掃していくと、台板が自由に最適角度に角度を変えながら清掃を続けていくことができる。なお、下面に多数の小突起を設けず、清掃材を下面に接着させたものも市販されている。
【発明の開示】
【発明が解決しようとする課題】
【０００４】  前記従来のものは、二つの軸を用いてあらゆる方向を向くことができるようにして便利ではあるが、次のような欠点を持っている。二つの軸を十字に配置して台板に対し柄取付片を前後左右に曲げることができる機構を採用しているが、その機構は複雑であるばかりでなく、軸取付部は強度的に弱いといった問題もある。そして、台板が自由に角度を変えながら清掃していくとき、状況によって軸取付部に局所的に過度の荷重が掛ってしまい、最後には破損してしまうこともある。破損すると全部を取り換えなければならず、これでは大変不経済である。また、従来のものは柄を取り付けて使用するもの専用である。清掃中に柄を持っての清掃がしにくい個所に差し掛かると、別に購入しておいた手拭式を取り出して使用するしかない。これでは大変不便である。柄式と手拭式とを兼用できるものがあれば便利である。【０００５】  本発明が解決しようとする課題は、破損した場合は破損した部材だけを取り替えれば済むようにした清掃材ホールダーを提供する点にある。また、破損しにくい清掃材ホールダーを提供する点にある。また、柄を取り外せば手拭式とすることのできる清掃材ホールダーを提供する点にある。
【課題を解決するための手段】
【０００６】  請求項１に係る清掃材ホールダーは、基板１と底板８とからなる長方形又は楕円形状とした本体と柄取付片４とからなるものとして、柄取付片４は円柱状のものを寝せて配置した回転部５と回転部５の中央から上方へ設けた柄取付部６とからなるものとし、そして本体の長手方向に向けた回転部５がちょうどはまる空室を基板１と底板８との間の中央に設けてその空室に回転部５をはめた状態にし、また柄取付部６がちょうどはまる大きさの切欠き３をその空室の垂直上方から本体の幅方向の一方側下方のみへと設けて柄取付部６を切欠き３に通した状態にし、基板１の下面に底板８を着脱自在に取り付けたものである。【０００７】  このものは次のようにして使用する。まず、棒状の柄の下端を柄取付片４に取り付ける。そして、多数の小突起を底板８の下面に設けているものにおいては、柄を持ち、床面等に置いたパッド状ナイロン製たわし等の清掃材に底板８を押し付ける。小突起が清掃材に刺さって清掃材を保持する。この状態で床面等の清掃をする。底板８の下面に清掃材を接着等したものにおいては、柄を持ってそのまま清掃をする。本体に対し柄は左右方向には曲げることができず前後方向の一方向にしか曲げることはできないが、これでも効率的な清掃を続けることができる。そして、このものは構造が簡単で、二つの軸を使用する従来のものに比べ破損しにくい。柄取付片４の回転部５は円柱状のものとして接触面積が広いため、荷重が分散し局所的に集中することが少ないからである。基板１に底板８を着脱自在に取り付けるやり方としては任意のやり方が採用可能である。基板１・底板８・柄取付片４のどれかがが破損したら、破損した部材だけを取り替えれば済む。【０００８】  請求項２に係るものは、請求項１記載のものにおいて、回転部５を球状のものとしたことを特徴とするものである。このものについても請求項１に係るものと同様のことが言える。請求項３に係るものは、請求項１記載のものにおいて、回転部５を多角柱状のものとしたことを特徴とするものである。多角柱状とは１２角柱状・８角柱状等を意味する。そして、請求項１・２に係るものにおいては、清掃中に回転部５が回転し易く、凹凸のある床面等に対し接床圧力が不安定になることがある。請求項３に係るものにおいては、回転部５がややきつめに回転するように製作しておけば清掃中にむやみに回転するようなことはない。【０００９】  請求項４に係るものは、請求項１又は２又は３記載のものにおいて、本体に設けた切欠き３を、柄取付片４の柄取付部６が垂直上方から水平にまで曲げることのできるものとし、かつ柄取付部６の高さを、柄取付部６を水平に曲げたときに柄取付部６の先端が本体から突出しない程度のものとしたことを特徴とするものである。請求項４に係るものは、柄取付部６に棒状の柄を取り付けて使用することもできるが、柄を取り付けずに柄取付部６を水平に寝せて手拭式として使用することもできる。
【発明の効果】
【００１０】  本発明に係る清掃材ホールダーは、基板１・底板８・柄取付片４の３部材からなっている。したがって、破損した場合は破損した部材だけを取り替えれば済む。また、請求項１・２・３に係るものでは、柄取付片４の回転部５が円柱状・球状・多角柱状をしていて接触面積が広いため、清掃中に掛る力は分散し局所的に集中することはない。したがって、破損しにくい。請求項３に係るものにおいては、清掃中に回転部５がむやみに回転することがなく安定した作業を続けることができる。請求項４に係るものは、柄取付片４の柄取付部６に棒状の柄の先端を取り付けて使用することもできるし、柄を取り付けずに柄取付部６を水平に寝せて手拭式として使用することもできる。
【発明を実施するための最良の形態】
【００１１】  本発明を実施するための最良の形態を図１〜６に基づいて説明する。図１は斜視図、図２は図１に示したものの分解斜視図であり、１は長方形とした基板を示している。そして、図３は図１に示したものにおいて内部を示すために基板１を中ほどで上下に分断し上半部分を反転させて示した図であるが、基板１の中央には基板１の長手方向に向けて方形のくぼみ２を底面側から設けている。くぼみ２の中央からくぼみ２に直交し片側面まで抜ける切欠き３を設けている。別体の柄取付片４を用意している。柄取付片４は、円柱状のものを寝せて配置した回転部５と回転部５の中央から上方へ設けた円柱状の柄取付部６とからなるものとしている。そして、柄取付部６の上端から回転部５の下端に達する挿入穴７をあけている。回転部５は基板１のくぼみ２にちょうどはまる大きさのもので、柄取付部６は基板１の切欠き３にちょうどはまる大きさのものである。別体の底板８を用意している。底板８は基板１よりやや大きな長方形のものとしている。図示はしていないが、底板８の下面には、下端に引っ掛りのある小突起の多数を形成している。【００１２】  基板１のくぼみ２に柄取付片４の回転部５をはめて切欠き３に柄取付部６をはめた状態にし、基板１の下面に底板８をねじ９で取り付ける。組み立て後の状態は図１・４・５が示している。図４も基板１の上半部分を分断し反転させて示した図である。図１・４・５が示すように、柄取付部６の高さは、柄取付部６を寝せたとき先端が底板８よりはみ出さないものとしている。また、図３が示すように、別体の継手１０を用意している。継手１０は棒状の柄の先端にはめて取り付けるものであり、図５が示すように継手１０の先端は柄取付片４の柄取付部６の挿入穴７にはめて使用する。【００１３】  以上の清掃材ホールダーは、次のようにして使用する。棒状の柄の先端を柄取付片４の挿入穴７に挿入して取り付ける。または、柄の先端に継手１０を取り付け継手１０を挿入穴７に挿入する。そして、パッド状ナイロン製たわし等の清掃材を床面等に置いて底板８の下面の多数の小突起を押し付ける。それから柄を持って清掃していく。柄は、基板１・底板８に対し垂直から水平までの間で自由に角度を変えながら、清掃を続ける。左右には曲げることができず、前後方向も一方向しか曲げることができないが、これでも十分に清掃をすることができる。また、図６が示すように、柄を取り付けずに柄取付部６を寝せた状態にして手拭式として使用することもできる。
【実施例】
【００１４】  実施例を図７及び図８に基づいて説明する。図７は清掃材ホールダーの中央部を横幅方向に切った縦断面図、図８は図７のものの中央部の正面図及び左端部の縦断面図である。１は長方形の基板を示している。基板１の中央には上方へ膨出する膨出部１１を形成している。基板１の膨出部１１には下方からくぼみ２を設けているが、くぼみ２の下半部は柄取付片４の回転部５がちょうどはまるものとし、くぼみ２の上半部は回転部５の上半部外周が密着する半円弧状のものとしている。そして、膨出部１１の上方には柄取付部６がちょうどはまる切欠き３を設けているが、図７がはっきり示すように切欠き３は基板１の幅方向の一方側下方へと延長させている。切欠き３の下端の縁は円弧状に形成し、ストッパー部１２としている。基板１の両端付近には、図８に示すように下方から凹部１３を設けている。凹部１３はスポット的な短いものとしてもよいし、細長いものとしてもよい。数も任意である。そして、柄取付部６が垂直上方になる状態にして基板１のくぼみ２内に柄取付片４を下方からはめ、柄取付部６を切欠き３から上方へ出している。【００１５】  基板１と同じ形状とした別体の底板８を用意している。底板８の中央部において基板１のくぼみ２の下方部にちょうどはまる突出片１４を設けている。突出片１４の上面は、突出片１４をくぼみ２内にはめたとき柄取付片４の回転部５の下半部外周に密着する半円弧状のものとしている。底板８の両端付近には基板１の凹部１３に対応する位置において凹部１３にちょうどはまる凸部１５を設けている。底板８の下面には、下端に引っ掛りのある多数の小突起１６を設けている。そして、基板１のくぼみ２内に底板８の突出片１４をはめて突出片１４を柄取付片４の回転部５に密着させ、また両端の凸部１５を基板１の凹部１３にはめて基板１と底板８とを密着させた後、凹部１３・凸部１５の部分にねじ９をねじ込んで両者を一体にする。基板１と底板８とが本体となる。【００１６】  モップの場合、柄取付片をモップ台に取り付け、棒状のモップ柄を柄取付片に差し込んで使用するものも知られているが、そのほかモップ柄の先端にクリップを取り付け、モップ台に取り付けたクリップ挟持片をクリップで挟むことでモップ柄の先端にモップ台を取り付けるようにしたものも知られている。図７・８に示したものも、図８に示すようなクリップ型にすることもできる。すなわち、図８に示すように、柄取付片４の挿入穴７にちょうどはめることのできる挿入片１７を下面中央に形成したクリップ挟持片１８を用意している。挿入穴７に挿入片１７をはめて柄取付片４にクリップ挟持片１８を取り付けると、先端にクリップを取り付けた柄を使用することができる。クリップ挟持片１８は回転部５に直接連結するようにすることもできる。【００１７】  なお、図７・８に示したものにおいて、基板１と底板８とを一体のものとして膨出部１１の部分を別体のものとし、柄取付片４を所定位置に配置した後に膨出部１１を何らかのやり方で取り付けるようにしてもよい。
【図面の簡単な説明】
【００１８】
【図１】本発明を実施するための最良の形態を示す斜視図である。
【図２】図１に示したものの分解斜視図である。
【図３】図１に示したものの一部を分断して示した斜視図である。
【図４】同じく図１に示したものの一部を分断して示した斜視図である。
【図５】図３に示したものを組み立てた状態を示す斜視図である。
【図６】図１に示したものの１使用法を示す斜視図である。
【図７】実施例を示す縦断面図である。
【図８】図７に示したものの要部正面図及び要部縦断面図である。
【符号の説明】
【００１９】  １  基板
３  切欠き
４  柄取付片
５  回転部
６  柄取付部
８  底板
【図１】
2005270611.tif 000003
【図２】
2005270611.tif 000004
【図３】
2005270611.tif 000005
【図４】
2005270611.tif 000006
【図５】
2005270611.tif 000007
【図６】
2005270611.tif 000008
【図７】
2005270611.tif 000009
【図８】
2005270611.tif 000010